(57)【要約】【課題】毛髪の乾燥状態に合わせた成分量を供給することのできる加熱送風装置を得る。【解決手段】加熱送風装置１は、ハウジング３内に設けられる生成部であって、イオンを生成するイオン生成部、酸性成分を生成する酸性成分生成部および帯電微粒子液体を生成する帯電微粒子液体生成部のうち少なくともいずれか１つの生成部を備えている。さらに、加熱送風装置１は、ハウジング３内に設けられた生成部で生成される成分の生成量を制御する制御部を備えている。そして、制御部は、ハウジング３内に設けられた生成部が駆動されてから所定の時間が経過した際、または、時間の経過とともに、ハウジング３内に設けられた生成部で生成される成分の生成量を減少させるように制御する。【選択図】図８
2015202129.tif 000002
【特許請求の範囲】
【請求項１】
吸入口から吐出口に至る送風流路が設けられ、外郭を構成するハウジングと、
前記ハウジング内の吸入口側に配置されてモータ駆動されるファンと、
前記ハウジング内の吐出口側に配置される加熱部と、
前記ハウジング内に設けられる生成部であって、イオンを生成するイオン生成部、酸性成分を生成する酸性成分生成部および帯電微粒子液体を生成する帯電微粒子液体生成部のうち少なくともいずれか１つの生成部と、
前記ハウジング内に設けられた生成部で生成される成分の生成量を制御する制御部と、
を備え、
前記制御部は、前記ハウジング内に設けられた生成部が駆動されてから所定の時間が経過した際、または、時間の経過とともに、前記ハウジング内に設けられた生成部で生成される成分の生成量を減少させるように制御することを特徴とする加熱送風装置。
【請求項２】
前記制御部は、前記ハウジング内に設けられた生成部で生成される成分のうち少なくとも１つの成分の生成量を所定の量に設定する第１の制御モードと、前記第１の制御モードの生成量より低い生成量に設定する第２の制御モードと、を備えることを特徴とする請求項１に記載の加熱送風装置。
【請求項３】
前記制御部は、前記ハウジング内に設けられた生成部で生成される成分のうち少なくとも１つの成分の生成量を減少させる前に、所定の時間、生成を停止させるように制御することを特徴とする請求項１または請求項２に記載の加熱送風装置。
【請求項４】
前記ハウジング内に設けられた生成部が前記イオン生成部であることを特徴とする請求項１〜３のうちいずれか１項に記載の加熱送風装置。
【請求項５】
前記ハウジング内に設けられた生成部が前記酸性成分生成部であることを特徴とする請求項１〜４のうちいずれか１項に記載の加熱送風装置。
【請求項６】
前記ハウジング内に設けられた生成部が前記帯電微粒子液体生成部であることを特徴とする請求項１〜５のうちいずれか１項に記載の加熱送風装置。
【請求項７】
毛髪の帯電状態を変更することが可能な帯電付与パネルを把持部近傍に備えるとともに、前記制御部により、帯電付与パネルの帯電量を制御することを特徴とする請求項１〜６のうちいずれか１項に記載の加熱送風装置。
【発明の詳細な説明】
【技術分野】
【０００１】
本発明は、加熱された温風を吐出する加熱送風装置に関するものである。
【背景技術】
【０００２】
従来、加熱送風装置としては、第１電極および第２電極を有するイオン発生部を搭載したものが知られている（例えば、特許文献１参照）。
【０００３】
この特許文献１では、加熱送風装置は、第１電極と第２電極との間に高電圧を印加して放電を行うことでイオン（成分）を生成し、生成したイオンをイオン吹出口から吹き出すように構成されている。そして、イオン吹出口から吹き出したイオンを使用者の毛髪に供給することで、髪ケア効果を高めている。
【０００４】
さらに、この加熱送風装置では、イオン発生量を任意に設定することができるようになっており、細い毛髪や太い毛髪に対して最適な量のイオンを供給することができるようにしている。
【先行技術文献】
【特許文献】
【０００５】
【特許文献１】特表２００７−５２８２７２号公報
【発明の概要】
【発明が解決しようとする課題】
【０００６】
しかしながら、上記従来の構成では、加熱送風装置から吐出される温風によって毛髪の乾燥状態が変化した場合であっても、イオン発生量（成分生成量）が一定となっていた。そのため、毛髪の乾燥状態等によっては、供給されるイオン（成分）の量が最適でなくなってしまうおそれがあり、毛髪への効果が不足する可能性があった。
【０００７】
本発明は、上記従来の課題を解決するもので、毛髪の乾燥状態に合わせた成分量を供給することのできる加熱送風装置を提供することを目的とする。
【課題を解決するための手段】
【０００８】
上記従来の課題を解決するために、本発明の加熱送風装置は、吸入口から吐出口に至る送風流路が設けられ、外郭を構成するハウジングと、前記ハウジング内の吸入口側に配置されてモータ駆動されるファンと、前記ハウジング内の吐出口側に配置される加熱部と、前記ハウジング内に設けられる生成部であって、イオンを生成するイオン生成部、酸性成分を生成する酸性成分生成部および帯電微粒子液体を生成する帯電微粒子液体生成部のうち少なくともいずれか１つの生成部と、前記ハウジング内に設けられた生成部で生成される成分の生成量を制御する制御部と、を備え、前記制御部により、前記ハウジング内に設けられた生成部が駆動されてから所定の時間が経過した際、または、時間の経過とともに、前記ハウジング内に設けられた生成部で生成される成分の生成量を減少させるようにしたものである。
【０００９】
これによって、使用者の毛髪の乾燥状態に応じて最適な成分量を供給することが可能となる。
【発明の効果】
【００１０】
本発明の加熱送風装置は、使用者の毛髪のまとまりや手触りなどの髪ケア効果の向上を図ることができる。
【図面の簡単な説明】
【００１１】
【図１】本発明の実施の形態１における加熱送風装置の側面図である。
【図２】本発明の実施の形態１における加熱送風装置の正面図である。
【図３】本発明の実施の形態１における加熱送風装置の平面図である。
【図４】本発明の実施の形態１における加熱送風装置の上側内部を示す平面図である。
【図５】図４のＡ−Ａ断面図である。
【図６】本発明の実施の形態１における加熱送風装置の本体部内でイオン生成部と酸性成分生成部、帯電微粒子液体生成部が設けられる部分を示す斜面図である。
【図７】本発明の実施の形態１における加熱送風装置の本体部内でイオン生成部と酸性成分生成部、帯電微粒子液体生成部が設けられる部分を拡大して示す平面図である。
【図８】本発明の実施の形態１におけるイオン生成量を所定の時間経過後に減少させることを示す特性図である。
【図９】本発明の実施の形態１におけるイオン生成量を所定の時間経過後に時間とともに減少させることを示す特性図である。
【図１０】本発明の実施の形態１におけるイオン生成量を時間とともに減少させることを示す特性図である。
【図１１】本発明の実施の形態１におけるイオン生成量の多い第１の制御モードとイオン生成量の少ない第２の制御モードを有することを示す特性図である。
【図１２】本発明の実施の形態１における酸性成分生成量の多い第１の制御モードと酸性成分生成量の少ない第２の制御モードを有することを示す特性図である。
【図１３】本発明の実施の形態１における帯電微粒子液体生成量の多い第１の制御モードと帯電微粒子液体生成量の少ない第２の制御モードを有することを示す特性図である。
【図１４】本発明の実施の形態１における乾燥時間の短い場合のショートモードと髪の乾燥時間の中程度の場合のミディアムモードと乾燥時間の長い場合のロングモードを有することを示す特性図である。
【図１５】本発明の実施の形態１における時間の経過とともにイオン生成量を減少させる方式においての乾燥時間の短い場合のショートモードと髪の乾燥時間の中程度の場合のミディアムモードと乾燥時間の長い場合のロングモードを有することを示す特性図である。
【図１６】本発明の実施の形態１におけるイオン生成量を所定の時間経過後に所定時間停止した後に減少して再生成させることを示す図である。
【図１７】本発明の実施の形態１におけるイオン生成部の断面図である。
【図１８】本発明の実施の形態１におけるイオン生成部の第１電極の別形態の断面図である。
【図１９】本発明の実施の形態１における電極先端形状とオゾン発生量との関係を示す特性図である。
【図２０】本発明の実施の形態１の第１変形例における加熱送風装置の側面図である。
【図２１】本発明の実施の形態１の第１変形例における加熱送風装置の断面図である。
【図２２】本発明の実施の形態１における加熱送風装置のミスト生成部が設けられる部分を拡大して示す平面図である。
【図２３】本発明の実施の形態１の第２変形例における加熱送風装置の断面図である。
【発明を実施するための形態】
【００１２】
本発明の実施の形態は、吸入口から吐出口に至る送風流路が設けられ、外郭を構成するハウジングと、前記ハウジング内の吸入口側に配置されてモータ駆動されるファンと、前記ハウジング内の吐出口側に配置される加熱部と、を備える加熱送風装置である。
【００１３】
また、加熱送風装置は、前記ハウジング内に設けられる生成部であって、イオンを生成するイオン生成部、酸性成分を生成する酸性成分生成部および帯電微粒子液体を生成する帯電微粒子液体生成部のうち少なくともいずれか１つの生成部を備えている。さらに、前記ハウジング内に設けられた生成部で生成される成分の生成量を制御する制御部を備えている。
【００１４】
そして、前記制御部は、前記ハウジング内に設けられた生成部が駆動されてから所定の時間が経過した際、または、時間の経過とともに、前記ハウジング内に設けられた生成部で生成される成分の生成量を減少させるように制御するものである。
【００１５】
これによって、毛髪の乾燥状態に合わせて生成する成分の生成量を調整することができ、より最適な成分量を毛髪に供給することが可能となる。
【００１６】
また、前記制御部は、前記ハウジング内に設けられた生成部で生成される成分のうち少なくとも１つの成分の生成量を所定の量に設定する第１の制御モードと、前記第１の制御モードの生成量より低い生成量に設定する第２の制御モードと、を備えるものである。
【００１７】
これによって、イオン量、または酸性成分量、または帯電微粒子液体量の多い第１の制御モードと、イオン量、または酸性成分量、または帯電微粒子液体量の少ない第２の制御モードとを太い毛髪および細い毛髪のそれぞれに適したモードとして設定することができる。その結果、発生量の多い第１の制御モードでは太い毛髪をしっとりまとまりやすくでき、発生量の少ない第２の制御モードでは細い毛髪をふんわりと仕上げることができる。
【００１８】
また、前記制御部は、前記ハウジング内に設けられた生成部で生成される成分のうち少なくとも１つの成分の生成量を減少させる前に、所定の時間、生成を停止させるように制御するものである。
【００１９】
これによって、イオン、または酸性成分、または帯電微粒子液体の少なくともいずれかの生成が所定時間停止することとなり、イオン生成部、または酸性成分生成部、または帯電微粒子液体生成部の周囲の帯電を取り除くことができる。その結果、所定時間停止後のイオン、または酸性成分、または帯電微粒子液体の少なくともいずれかの生成開始時の生成量を安定させることができる。
【００２０】
また、前記ハウジング内に設けられた生成部が前記イオン生成部である。
【００２１】
これによって、毛髪の乾燥状態に合わせて生成するイオン生成量を減少させることとなり、発生する電荷による乾燥した毛髪における毛髪表面の過剰帯電を抑制し、毛髪のまとまりや指通りを向上することができる。
【００２２】
また、前記ハウジング内に設けられた生成部が前記酸性成分生成部である。
【００２３】
これによって、毛髪の乾燥状態に合わせて生成する酸性成分量を減少させることとなり、毛髪表面の酸性成分による過収縮を抑制することができ、毛髪のクセの伸びや手触りを向上することができる。
【００２４】
また、前記ハウジング内に設けられた生成部が前記帯電微粒子液体生成部である。
【００２５】
これによって、毛髪の乾燥状態に合わせて生成する帯電微粒子液体量を減少させることとなり、毛髪のしっとり感が増加しすぎず、さらさらしたふんわり感のある毛髪とすることができる。
【００２６】
また、毛髪の帯電状態を変更することが可能な帯電付与パネルを把持部近傍に備えるとともに、前記制御部により、帯電付与パネルの帯電量を制御するものである。
【００２７】
これによって、帯電付与パネルの帯電量が制御されるため、前記帯電付与パネルを握る使用者の身体の帯電を制御することができる。その結果、イオン生成部、または酸性成分生成部、または帯電微粒子液体生成部の少なくともいずれかから生成したイオン量、または酸性成分量、または帯電微粒子液体量の少なくともいずれかの毛髪への付着状態を安定させることができる。
【００２８】
以下、本発明の実施の形態について、図面を参照しながら説明する。なお、この実施の形態によって本発明が限定されるものではない。
【００２９】
（実施の形態１）
図１は、本発明の第１の実施形態における加熱送風装置の側面図を示すものである。
【００３０】
本実施の形態１にかかる加熱送風装置としてのヘアドライヤ１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施の形態１では略Ｔ字状）の外観を呈するように折り畳み可能に構成されている。
【００３１】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。なお、先端部１ｄは、本体部１ｂに沿う位置まで折り畳むことができるようになっている。
【００３２】
ヘアドライヤ１の外壁をなす（外郭を構成する）ハウジング３は、複数の分割体を継ぎ合わせて構成されている。ハウジング３の内部には空洞が形成されており、この空洞内に、各種電気部品が収容されている。
【００３３】
本体部１ｂの内部には、その長手方向（図５の左右方向）の一方側（右側）の入口開口（吸入口）４ａから出口開口（吐出口）４ｂに至る風洞（送風流路）４が形成されており、この風洞４内に収容された送風部としてのファン５を回転させることによって空気流Ｗ１が形成される。すなわち、空気流Ｗ１は、外部から入口開口４ａを介して風洞４内に流入し、当該風洞４内を通って出口開口４ｂから外部に排出される。
【００３４】
入口開口（吸入口）４ａは、網目状の枠体８１で覆われており、この枠体８１の開口部８１ａの形状はハニカム形状となっている。こうすることで、桟部８１ｂの強度を均等に確保させつつ入口開口（吸入口）４ａの総開口面積を大きくとることができ、風量の増大を図ることができるようになる。
【００３５】
また、枠体８１には、図５に示すように、開口率が５５〜９０パーセント程度であって、３００〜６５０μｍ程度の網目幅のメッシュ８２が一体成形されている。このメッシュ８２は、例えば金属やポリエステルなどの難燃性樹脂を用いることができ、このように網目幅の細かいメッシュ８２を一体成形することで、細かい埃や毛髪などが空気流路内に入ってしまうのをより確実に抑制できるようにしている。
【００３６】
また、本体部１ｂにおいて、ハウジング３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱部（加熱機構）としてのヒータ８が配置されている。
【００３７】
ヒータ８を作動させたときには、出口開口４ｂから温風が吹き出されることになる。なお、本実施の形態１では、ヒータ８は、帯状かつ波板状の電気抵抗体を内筒６の内周に沿って巻回して配置したものとして構成されているが、かかる構成には限定されない。
【００３８】
また、ハウジング３内には、イオンを生成するイオン生成部、酸性成分を生成する酸性成分生成部および帯電微粒子液体を生成する帯電微粒子液体生成部のうち少なくともいずれか１つの生成部が設けられている。
【００３９】
イオン生成部としては、例えば、針状の第１電極と円環状の第２電極とで構成され、この電極間に高電圧を印可することでイオンを生成するようにしたものを用いることができる。
【００４０】
また、帯電微粒子液体生成部としては、例えば、針状の第１電極と円環状の第２電極とで構成され、この電極間に高電圧を印可することで帯電微粒子液体を生成するようにしたものを用いることができる。なお、帯電微粒子液体を生成する際には、第１電極に帯電微粒子液体を生成するための液体が供給された状態で、第１電極と第２電極との間に高電圧が印可される。
【００４１】
この第１電極への液体の供給方法としては、例えば、液体を含有したタンクから第１電極に供給する方法を用いることができる。また、第１電極を冷却して第１電極表面で水分を結露させることで液体を供給する方法とすることも可能である。この液体は、第１電極表面で結露した水分（結露水）、または、第１電極から溶解した成分や第１電極の周囲の構成物から溶解した成分を含む結露水である。
【００４２】
酸性成分生成部は、酸性成分を生成することができる方式であればよい。例えば、第１電極と第２電極とで構成される酸性成分生成部とし、この電極間に高電圧を印可することで、放電により生成される酸性成分を有するＮＯｘ−（Ｈ２Ｏ）ｎ等を生成する方法を用いることができる。
【００４３】
また、酸性の特性を有する液体を静電霧化させたり、揮発させたりすることで酸性成分を生成することも可能である。また、固体から昇華させる方法で酸性成分を生成するようにしてもよい。
【００４４】
本実施の形態１では、本体部１ｂ内で、ハウジング３と内筒６との間に形成された空洞９に、２つ（複数）の金属微粒子生成部３０，４０および１つのミスト生成部５０が配置されている。
【００４５】
したがって、生成部（金属微粒子生成部３０，４０およびミスト生成部５０）で生成された成分は、分岐流Ｗ２とともに吐出するようになっているが、出口開口（吐出口）４ｂから空気流Ｗ１とともに吐出させるようにしてもよい。また、生成部はヒータ（加熱部）８が設けられている内筒６内に設けてもよいが、本実施の形態１に示すように、ヒータ（加熱部）８で加熱されない部位に設けることが好ましい。
【００４６】
金属微粒子生成部３０，４０では、金属微粒子、イオンおよび酸性成分が生成される。一方、ミスト生成部５０では、帯電微粒子液体、イオンおよび酸性成分が生成される。
【００４７】
このように、本実施の形態１では、金属微粒子生成部３０，４０が、イオン生成部および酸性成分生成部を兼ねている。そして、ミスト生成部５０が、帯電微粒子液体生成部、イオン生成部および酸性成分生成部を兼ねている。
【００４８】
したがって、本実施の形態１では、ハウジング３内に、イオンを生成するイオン生成部、酸性成分を生成する酸性成分生成部および帯電微粒子液体を生成する帯電微粒子液体生成部の３種類の生成部が設けられていることとなる。また、イオン生成部および酸性成分生成部はそれぞれ３箇所に設けられることとなり、帯電微粒子液体生成部は１箇所に設けられることとなる。
【００４９】
なお、３種類の生成部は、それぞれ独立した状態で設けるようにしてもよい。また、３種類の生成部の全てを設ける必要はなく、いずれか１種類の生成部のみをハウジング３内に設けるようにしてもよいし、３種類の生成部のなかから任意に選択した２種類の生成部をハウジング３内に設けるようにしてもよい。
【００５０】
そして、本実施の形態１では、生成されるイオン、帯電微粒子液体、金属微粒子、酸性成分の生成量を制御部１０で制御しており、毛髪の状態（髪質、長さ、乾燥状態）に応じて好適な量の成分が供給されるようにしている。
【００５１】
また、本体部１ｂ内で、ハウジング３と内筒６との間に形成された空洞９には、ミスト生成部５０に電圧を印加する電圧印加回路１２等も収容されている。なお、金属微粒子生成部３０，４０に電圧を印加する電圧印加回路（図示せず）もハウジング３内に収容されているが、この電圧印加回路（図示せず）は、相互干渉による不具合を抑制するため、電圧印加回路１２が収容された部位とは別の部位に収容されている。
【００５２】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００５３】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合をより一層抑制することができる。
【００５４】
さらに、本実施の形態１では、空洞９の側面部分（空洞９の電圧印加回路１２が収容された部位とは別の部位）に、温風と冷風の切り換えや動作モードの切り替え等を行うスイッチ部２１が収容されている。
【００５５】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。
【００５６】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００５７】
本実施の形態１では、スイッチ部１６は、ハウジング３の表面に露出した操作子１８を操作することで、内部接点の開閉状態を切り換えることができるように構成されている。このとき、操作子１８を上下方向にスライドさせることで、内部接点の開閉状態を多段階に切り換えることができるようにすることが可能である。
【００５８】
例えば、電源オフ、弱風、中風、強風の４つのモードに切り換えられるようにすることが可能である。この場合、操作子１８を最下部に位置させた状態を電源オフとすることができる。
【００５９】
そして、操作子１８を最下部から一段階上方にスライドさせた際に、電源オン状態となって、弱風が送風されるようにすることができる。さらに、操作子１８を一段階上方にスライドさせた際に、中風が送風され、操作子１８を最上部までスライドさせた際に、強風が送風されるようにすることができる。
【００６０】
一方、温風と冷風の切り換えや動作モード等を行うスイッチ部２１は、ハウジング３の表面（側面）に形成した操作子１９や操作子１９ａ、１９ｂを操作する（押圧する）ことで、内部接点の開閉状態を切り換えることができるように構成されている。そして、本体部１ｂの上部には、現在選択されているモードを表示する表示部１４が形成されている。
【００６１】
これらのスイッチ部２１や表示部１４などは、制御部１０と電気的に接続されている。
【００６２】
本実施の形態１では、操作子１９を操作することで、温風と冷風の切り換えを行うことができるようになっている。なお、操作子１９を操作する度に、温風、冷風、温風…と単に温冷２つのモードを切り替えるだけでなく、「ＨＯＴ」「温冷」「ＣＯＬＤ」「ＳＣＡＬＰ」の４つの風温モードを切り替えることができるようにすることも可能である。
【００６３】
このとき、選択されているモードを認識することが可能な文字等が表示部１４に表示されるようにするのが好ましい。以下、各モードおよび表示部１４への表示方法の一例について説明する。
【００６４】
「ＨＯＴ」とは、温風を出力するモードであって、通常の使用時に毛髪にあたる風の温度が約７０℃から８０℃となるようにしたモードである。この温風を出力するモードが選択されているときには、表示部１４に「ＨＯＴ」の文字が表示されるようにする。
【００６５】
また、「温冷」とは、例えば冷風５秒、温風７秒といったように、温風と冷風を交互に出力するモードである。この「温冷」モードが選択されているときには、表示部１４に矢印が表示されるとともに、温風と冷風の出力に応じて「ＨＯＴ」と「ＣＯＬＤ」が交互に表示されるようにする。
【００６６】
また、「ＣＯＬＤ」とは、冷風を出力するモードであって、通常の使用時に毛髪にあたる風の温度が約３０℃となるようにしたモードである。この冷風を出力するモードが選択されているときには、表示部１４に「ＣＯＬＤ」の文字が表示されるようにする。
【００６７】
また、「ＳＣＡＬＰ」とは、低温風を出力するモードであって、通常の使用時に毛髪にあたる風の温度が約５０℃となるようにしたモードである。この「ＳＣＡＬＰ」モードは、主として頭皮のケアを行う際に選択されるモードとして設定するものである。そして、「ＳＣＡＬＰ」モードが選択されているときには、表示部１４に「ＳＣＡＬＰ」の文字が表示されるようにする。
【００６８】
そして、操作子１８を上方にスライドさせて電源オン状態にすると、制御部１０が通電され、現在の風温モードに応じた駆動信号でヒータ８が駆動されるとともに、現在の風温モードを表示するように表示部１４の風温表示が制御される。なお、操作子１８を上方にスライドさせて単に電源オン状態にした状態では、「ＨＯＴ」モードが選択されており、温風が送風される。
【００６９】
そして、操作子１９を操作するたびに、押下信号が制御部１０に送られて４つの風温状態が「温冷」モード、「ＣＯＬＤ」モード、「ＳＣＡＬＰ」モード、「ＨＯＴ」モードの順に切り替わるようになっている。
【００７０】
さらに、本実施の形態１では、表示部１４に「ＳＫＩＮ」の文字が形成されており、弱風モードで、「ＣＯＬＤ」を選択した場合に、「ＣＯＬＤ」とともに「ＳＫＩＮ」が表示されるようにしている。
【００７１】
すなわち、弱風モードで、「ＣＯＬＤ」を選択した場合には、「ＳＫＩＮ」モードとして使用することもできるようになっている。なお、「ＳＫＩＮ」モードは、ミスト等が含まれた冷風を肌に当てることで肌の水分保湿を適度な状態となるようにする等、肌のケアを行う際に選択されるモードである。
【００７２】
なお、上記説明は一例に過ぎず、各モードの表示方法としては、様々な方法を用いることができる。また、温風と冷風の切り換えモードについても、様々なモードの設定が可能である。
【００７３】
さらに、本実施の形態１では、ヘアドライヤ１は、環境温度（外気温度：使用者がいる場所の室温、気温等）を検知する環境温度検知部６０を備えている。そして、環境温度検知部６０が検知した環境温度に応じて、ヒータ（加熱部）８への通電量を制御部１０により変化させるようにしている。
【００７４】
この環境温度検知部６０は、ヘアドライヤ１内部のファン（送風部）５よりも下流に設けられており、ヒータ８による熱の影響を受けない部位に設けられている。本実施の形態１では、図６に示すように、環境温度検知部６０は、風洞９内（内筒６よりも外側）の間隙ｇ１よりも下流側に配置されている。
【００７５】
そして、環境温度検知部６０は、ヒータ８による熱の影響を受けにくい状態で環境温度を検知し、環境温度検知部６０により検知された環境温度に応じて制御部１０によりヒータ８への通電量を制御している。
【００７６】
例えば、環境温度１０℃の環境では、ヒータ８にはより大きな電流での通電を行い、例えば１１０〜１３０℃の温風、好ましくは１２０℃の温風を発生させるようにすることができる。一方、環境温度３０℃の環境では、ヒータ８への通電量を減少させて、例えば５０〜７０℃の温風、好ましくは６０℃の温風を発生させるようにすることができる。
【００７７】
また、本実施の形態１では、操作子１９ａを操作することで、髪質モードの切り替えを行うことができるようになっている。具体的には、毛髪の太い使用者が主として選択する髪太モードと、毛髪の細い使用者が主として選択する髪細モードの２つの髪質モードの選択ができるようになっている。
【００７８】
本実施の形態１では、選択された髪質モードに応じて、ハウジング３内に設けられる生成部で生成される成分量の調整を行うようにしている。成分量の具体的な調整方法については後述する。
【００７９】
また、本実施の形態１では、操作子１９ｂを操作することで、髪長さモードの切り替えを行うことができるようになっている。具体的には、髪の短い使用者が主として選択するショートモードと、髪の長い使用者が主として選択するロングモードと、髪の長さが中程度の使用者が主として選択するミディアムモードの３つの髪長さモードの選択ができるようになっている。
【００８０】
本実施の形態１では、選択された髪長さモードに応じて、ハウジング３内に設けられる生成部で生成される成分量の調整を行うようにしている。この成分量の具体的な調整方法についても後述する。
【００８１】
そして、髪質モードや髪長さモードの選択状態についても、様々な方法で表示部１４に表示させることが可能である。例えば、ロングモードを選択した場合には、ロングモードの文字や長髪の絵等が表示されるようにすることができる。すなわち、髪質モードや髪長さモードのうちの選択したモードそのものが判別できる表示方法（文字や髪の長さを示す絵等）とすることが可能である。
【００８２】
また、本実施の形態１のヘアドライヤ１は、後述するように、通常の使用状態で、ある程度使用した際には、使用開始時に比べて生成される成分量が少なくなるように制御されている。
【００８３】
そして、選択された髪長さモード毎に、生成される成分量が所定の値となるまでの時間（使用開始時の生成量に対する割合が所定の値となるまでの時間）を異ならせている。
【００８４】
したがって、選択された髪長さモードを表示する場合に、選択されたモードにおける生成量が減少するまでの時間を表示部１４に表示するという方法もある。
【００８５】
また、本実施の形態１のヘアドライヤ１は、後述するように、選択された髪質モード毎に、使用開始時における生成される成分量を異ならせている。すなわち、制御部１０によって生成量が多い第１の制御モードでの制御や生成量が少ない第２の制御モードでの制御が行われるようにしている。
【００８６】
したがって、選択された髪質モードを表示する場合に、選択されたモードにおいて使用開始時に生成される成分量の分量を表示部１４に表示することも可能である。
【００８７】
また、髪質モードや髪長さモードの選択状態だけでなく様々な状態を表示部１４に示すこともできる。
【００８８】
例えば、イオン生成部、帯電微粒子液体生成部、酸性成分生成部等での各成分の生成量の制御部１０による制御状態を表示部１４に表示することができる。これらの表示方法としては、イオン量や、帯電微粒子液体量、酸性成分量の変化をＬＥＤの点灯状態の変化で示す方法がある。
【００８９】
また、生成量が多い第１の制御モードや生成量が少ない第２の制御モードでの駆動状態を表示部１４において表示することもできる。
【００９０】
これらの表示方法としては、生成量の多い第１の制御モードと生成量の少ない第２の制御モードでの駆動状態を毛髪への髪ケア効果の一部を表現に使用し、ボリュームダウン、ボリュームアップとして表現する方法がある。
【００９１】
表示部１４は、制御基板１０上に実装されたチップ型の発光ダイオード１１と、発光ダイオード１１の光を拡散する白色乃至乳白色の拡散板１３と、透明樹脂からなる表示パネル１５とからなる。
【００９２】
表示パネル１５は、ハウジング３と別体に形成して両面接着テープでハウジング３に固定してもよいし、ハウジング３と一体に形成してもよい。表示パネル１５の裏面には、外部光を反射するハーフミラー層を印刷または転写により設けるのが好ましい。
【００９３】
そして、ハーフミラー層の上面の発光ダイオード１１と対向する面には、発光ダイオード１１からの光を選択的に遮光する遮光層を印刷または塗装により設けるのが好ましい。
【００９４】
なお、“選択的に遮光する”とは、風温表示、「ＨＯＴ」、「温冷」、「ＣＯＬＤ」、「ＳＣＡＬＰ」および「ＳＫＩＮ」などの文字や絵柄が表れるように、特定の領域（例えば、文字部分以外の領域）を遮光するという意味である。
【００９５】
表示部１４をかかる構成とすることで、電源オフの状態では、発光ダイオード１１が発光していないためヘアドライヤ１の内部が暗く、ヘアドライヤ１の外部が明るくても、外部光がハーフミラー層により反射され、内部部品や文字等を見えにくくすることができる。
【００９６】
一方、電源をオンにすると、発光ダイオード１１が発光し、その光が遮光層とハーフミラー層を透過して外部に照射される。このとき、遮光層により文字部分以外の領域については遮光されるので、外部には文字が表れることになる。
【００９７】
このとき、表示したい文字や絵柄に応じて、発光ダイオード１１が異なる色を発光するようにしてもよいし、同色の発光ダイオード１１を発光させるようにしてもよい。
【００９８】
また、表示部１４の印刷色は本体部１ｂの色に合わせて変更してもよい。ただし、白色やピンク色・ゴールド色等の場合、単色印刷では十分に遮光することができないため、外観用印刷色で印刷した後、遮光用として金属粉末の配合率の高いインク材料を使用しているシルバー系の印刷色にて印刷を行うとよい。
【００９９】
内筒６は、筒状部６ａと、筒状部６ａから径方向外側に向けて伸びて周方向に分散して配置された複数の支持リブ６ｂ（図５では一箇所のみ図示）と、支持リブ６ｂを介して筒状部６ａに接続され当該筒状部６ａの軸方向と略直交する方向に張り出すフランジ部６ｃと、を有している。
【０１００】
筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【０１０１】
そして、分岐流Ｗ２の一部はさらに分岐されて分岐流Ｗ３となっている。この分岐流Ｗ３は、後述する金属微粒子吹出口（イオン放出口）２０ａ，２０ｂやミスト吹出口（イオン放出口）２０ｃを通過せず、内筒６とハウジング３との間を通って出口開口４ｂの外周部分から吹き出す比較的冷たい空気流となっている。
【０１０２】
ハウジング３には、空洞９の出口開口４ｂ側となる位置に、略円弧状の貫通孔（開口）３ｂが形成されており、この貫通孔３ｂを絶縁性の合成樹脂材料からなるカバー２０で塞いである。
【０１０３】
このように、本実施の形態１では、カバー２０は、ハウジング３に形成された貫通孔（開口）３ｂを覆うようにして当該ハウジング３に取り付けられている。また、本実施の形態１では、カバー２０は、ハウジング３に対して図５の左側から右側に移動させることで、ハウジング３に取り付けられている。
【０１０４】
したがって、本実施の形態１では、風洞（送風流路）４の下流側から上流側への方向が、カバー２０のハウジング３への取り付け方向となっている。
【０１０５】
また、カバー２０には、金属微粒子吹出口（イオン放出口）２０ａ，２０ｂとミスト吹出口（イオン放出口）２０ｃとがそれぞれ独立して形成されている。
【０１０６】
なお、ミスト生成部（イオン発生部）５０および金属微粒子生成部（イオン発生部）３０，４０の前方には、イオンが流れるイオン流路４ｃが形成されることとなるため、金属微粒子吹出口（イオン放出口）２０ａ，２０ｂおよびミスト吹出口（イオン放出口）２０ｃは、イオン流路４ｃの下流側に設けられることとなる。
【０１０７】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【０１０８】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している（外郭を構成している）。
【０１０９】
また、本実施の形態１では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【０１１０】
なお、カバー２０の内側にリブ（突部：接続部）を設け、このリブを後述するミスト生成部５０の放電対向電極（第２電極）５２に当接させることで、カバー２０の除電を行うようにするのが好ましい。
【０１１１】
このように、本実施の形態１では、カバー２０とミスト生成部（イオン発生部）５０、カバー２０と金属微粒子生成部（イオン発生部）３０，４０とで、３つのイオン生成装置１００が形成されている。
【０１１２】
さらに、本実施の形態１では、毛髪の帯電状態を変更することが可能な帯電部（帯電付与パネル）１ｆを設けている。この帯電部１ｆは、把持部１ａの近傍に設けられている。具体的には、帯電部１ｆは、把持部１ａの外表面に露出する導電性樹脂（導電部材）で形成されている。
【０１１３】
また、本実施の形態１では、ミスト吹出口２０ｃの周辺部２０ｄに、金属微粒子吹出口（イオン放出口）２０ａ，２０ｂを形成している。
【０１１４】
具体的には、金属微粒子吹出口２０ａと金属微粒子吹出口２０ｂとを、ミスト吹出口２０ｃが中心となるように並設している。
【０１１５】
すなわち、カバー２０には、金属微粒子吹出口２０ａ、２０ｂおよびミスト吹出口２０ｃが、ヘアドライヤ１の幅方向（図２の左右方向）に、金属微粒子吹出口２０ａ、ミスト吹出口２０ｃ、金属微粒子吹出口２０ｂの順に並ぶように形成されている。
【０１１６】
このような配置とすることで、マイナスに帯電しているミストが、ミスト吹出口２０ｃの周辺部２０ｄに形成された金属微粒子吹出口（イオン放出口）２０ａ、２０ｂから吹き出されるマイナスイオンによって、外側へ拡散（離散）してしまうのを抑制できるようにしている。
【０１１７】
その結果、ミストの直進性が向上してミストが髪に届きやすくなり、髪ケア効果をより高めることができる。
【０１１８】
また、金属微粒子生成部３０，４０およびミスト生成部５０は、空洞９内でヘアドライヤ１の幅方向（図２の左右方向）に、金属微粒子生成部３０、ミスト生成部５０、金属微粒子生成部４０の順に並列に配置されている。
【０１１９】
そして、ミスト生成部５０と、当該ミスト生成部５０と隣り合う金属微粒子生成部（マイナスイオン発生部）３０、４０との間には、遮蔽板（仕切部）６ｄが設けられている。
【０１２０】
そして、図６に示すように、遮蔽板６ｄを、ヘアドライヤ１の上下方向およびミストの吹き出し方向に延在するように配置することで、金属微粒子やミストが金属微粒子吹出口２０ａ、２０ｂおよびミスト吹出口２０ｃから吹き出される前に混合してしまうのを抑制している。
【０１２１】
金属微粒子生成部３０，４０は、導電性を有する金属材料によって形成される放電極（第１電極）３１，４１および放電対向電極（第２電極）３２，４２をそれぞれ有している。
【０１２２】
そして、これら放電極３１，４１と放電対向電極３２，４２との間に電圧印加回路（図示せず）によって高電圧（本実施の形態１では、−１ｋＶ〜−３ｋＶ）を印加して放電（コロナ放電等）を生じさせ、その放電作用によって放電極３１，４１や放電対向電極３２，４２等から金属微粒子（金属の分子やマイナスイオン等）を放出させるものである。
【０１２３】
この金属微粒子生成部３０，４０は、ほぼ同一の形状に形成してもよいし、金属微粒子生成部３０，４０の形状がそれぞれ異なるようにしてもよい。
【０１２４】
金属微粒子生成装置３０，４０は、箱状の筐体３３，４３を備えており、放電極３１，４１は、根元部３１ｂ，４１ｂが筐体３３，４３内部の支持部材としての基板３４，４４に固定されている。そして、放電対向電極３２，４２は、放電極３１，４１の先端部３１ａ，４１ａと対向するように筐体３３，４３に支持されている。
【０１２５】
放電極３１，４１は、極細の線材として構成することができる。そして、その幅（直径）を、１０〜４００［μｍ］（好適には３０〜３００［μｍ］、より一層好適には５０〜２００［μｍ］）に設定するのが好ましい。なお、断面形状としては、円形、楕円形、多角形形状等、各種採用することができる。
【０１２６】
また、放電極３１，４１は、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部３０，４０で生成され放出された金属の微粒子に、金や、銀、銅、亜鉛等が含まれている場合、当該金属の微粒子によって抗菌作用を生じさせることができる。
【０１２７】
また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。
【０１２８】
本実施の形態１では、金属微粒子生成部３０の放電極３１に含まれる金属を亜鉛、金属微粒子生成部４０の放電極４１に含まれる金属も亜鉛としている。なお、放電極３１と放電極４１に含まれる金属の種類を異ならせるようにしてもよい。
【０１２９】
また、金属微粒子生成部３０，４０は、放電作用によってイオン（例えばマイナスイオン、例えばＮＯ２−、ＮＯ３−等）を生じさせている。
【０１３０】
そこで、このイオンを、放電極３１，４１や、放電対向電極３２，４２、他の金属材料や金属成分を含む部材等に衝突させることで、金属微粒子を生成する構成とすることも可能である。すなわち、放電対向電極３２，４２や上記他の部材を、上記遷移金属を含む材料によって構成し、これらから金属微粒子を放出させるようにしてもよい。なお、金属微粒子生成部３０，４０は、放電作用によって酸性成分も生じさせている。
【０１３１】
ところで、図１８に示すように、放電極３１，４１を遷移金属の母材３１ｃ，４１ｃにメッキ処理３１ｄ，４１ｄした部材として構成する場合、第１電極３１，４１の先端の尖度が低い（先端ｒが大きい）と、放電によるオゾンの発生量が増加する（図１９参照）。
【０１３２】
したがって、オゾンの発生量を減少させるためには、第１電極３１，４１の先端の尖度を尖らせる（先端ｒを小さくする）必要がある。この先端ｒは、０．１ｍｍ以下とすることが好ましく、０．０４ｍｍ以下とすることがより好ましい。なお、本実施の形態１では、放電極３１，４１におけるＲ形状をした先端の幅で先端ｒの尖度（大きさ）を規定している。
【０１３３】
なお、放電極３１，４１の先端の尖度を尖らせると、放電極３１，４１の強度が低下してしまい、外部からの応力により簡単に変形してしまう。そのため、放電極３１，４１の先端の角度θを、放電状態が安定する条件の中でなるべく大きくすることが好ましい。具体的には、放電極３１，４１の先端の角度θを４０〜５０°とすることが好ましい。こうすれば、放電極３１，４１の強度を高くすることができる。
【０１３４】
また、放電極３１，４１を遷移金属の母材３１ｃ，４１ｃにメッキ処理３１ｄ，４１ｄした部材として構成する場合、母材３１ｃ，４１ｃとして硬鋼線、ピアノ線等の硬度の高い材料を使用するのが好ましい。こうすることで、外部からの応力による放電極３１，４１の変形を抑制することができる。
【０１３５】
ミスト生成部５０は、導電性を有する金属材料によって形成される放電極（第１電極）５１および放電対向電極（第２電極）５２を有している。そして、これら放電極５１と放電対向電極５２との間に電圧印加回路１２によって高電圧（本実施の形態１では、−３ｋＶ〜−５ｋＶ）を印加することで放電（コロナ放電等）を生じさせるものである。
【０１３６】
本実施の形態１では、放電極５１は針状に形成されており、放電対向電極５２は放電極５１の先端側に離間配置した板状の部材として形成されている。
【０１３７】
放電対向電極５２は、略板状の基体部５２ａを有しており、基体部５２ａの略中央位置には、金属微粒子の放出口となる円形状の開口部５２ｃが形成されている。放電極５１は、正面視で開口部５２ｃのほぼ中心に配置される。
【０１３８】
また、ミスト生成部５０として、放電極５１を冷却するための冷却部５３と、当該冷却部５３によって放電極５１を冷却する際に発生する熱を放熱する放熱フィン５４と、を備える静電霧化装置を用いている。
【０１３９】
具体的には、ミスト生成部５０は、冷却部５３としてのペルチェ素子５３ａおよび熱伝導性を有する部材（例えば金属部材等）からなる冷却板５３ｂとを含んでおり、ペルチェ素子５３ａによって冷却された冷却板５３ｂの表面に空気中の水分を結露させ、結露水を生じるようになっている。
【０１４０】
そして、ミスト生成部５０の上流側には、冷却板５３ｂを冷却する際に発生する熱を放熱する放熱フィン５４が設けられている。かかる構成では、供給された水、すなわち結露水が、放電作用によって微粒化され、ナノメータサイズの非常に細かいミスト（マイナスイオンを含むマイナスに帯電されたミスト：帯電微粒子液体）が生成される。なお、ミスト生成部５０は、放電作用によってイオンや酸性成分も生じさせている。
【０１４１】
また、金属微粒子生成部３０，４０およびミスト生成部５０は、内筒６の上壁６ｆから突設された固定部材６ｇに載置することで、金属微粒子生成部３０，４０およびミスト生成部５０が内筒６の上方に固定されている。ミスト生成部５０は、放熱フィン５４の下部に取付板５５が設けられており、この取付板５５を固定部材６ｇに取り付けることで、内筒６の上方に固定されている。
【０１４２】
なお、固定部材６ｇの形状や突出位置を様々に設定することで、空洞（分岐流路）９を流れる風の風向や風量を所望の量とすることが可能である。すなわち、固定部材６ｇは、空洞（分岐流路）９を流れる風の風向や風量を制御する制御手段として利用することができる。
【０１４３】
また、本実施の形態１では、放電対向電極（第２電極）５２が放電極（第１電極）５１よりもミスト吹出口（イオン放出口）２０ｃ側に配置されており、この放電対向電極（第２電極）５２には開口部５２ｃが形成されている。なお、開口部５２ｃは、中央部に設ける必要はなく、正面視で放電極（第１電極）５１の先端からずれた位置に形成されていてもよく、また傾いた形状であってもよい。
【０１４４】
また、放電対向電極（第２電極）５２の開口部５２ｃの面積は、髪の静電気を抑制するための電荷を発生するために７ｍｍ２以上とすることが望ましい。本実施の形態１では、口径４ｍｍの開口部５２ｃを形成している。
【０１４５】
そして、放電対向電極（第２電極）５２の開口部５２ｃは、周縁部が、放電極（第１電極）５１の反対側に凸となるドーム状に形状されている。この周縁部は、例えば、厚さ０．５ｍｍの薄板に開口を設け、当該開口部の周縁を一方側に曲げ加工することにより形成することができる。
【０１４６】
ここで、本実施の形態１では、毛髪の乾燥状態に合わせた成分量を供給することができるようにした。
【０１４７】
具体的には、ハウジング３内に設けられた生成部で生成される成分の生成量を制御する制御部１０によって、成分の生成量を調整するようにした。
【０１４８】
例えば、乾燥した毛髪にイオンを過剰に供給すると、乾燥した毛髪の表面に過剰の電荷が帯電してしまい、毛髪のまとまりが悪くなってしまったり、指通りが悪くなってしまったりする。
【０１４９】
また、乾燥した毛髪に酸性成分を過剰に供給すると、キューティクルが過度に引き締められて毛髪が過収縮により丸まってしまい、毛髪の矯正が難しくなってしまったり、手触りが悪化してしまったりする。
【０１５０】
また、乾燥した毛髪に帯電微粒子液体を過剰に供給すると、毛髪が過度にしっとりとしてべたついてしまう。
【０１５１】
そこで、本実施の形態１では、制御部１０が、ハウジング３内に設けられた生成部が駆動されてから所定の時間が経過した際、または、時間の経過とともに、ハウジング３内に設けられた生成部で生成される成分の生成量を減少させるように制御するようにした。
【０１５２】
生成量を減少させる制御としては、図８に示すように、生成部が駆動されてから所定時間ｔ１が経過するまでは、ほぼ一定量で生成し、所定時間ｔ１が経過する際に、成分の生成量を減少させるように制御する方法がある。
【０１５３】
なお、図８では、所定時間ｔ１経過後少なくとも所定時間ｔ２までは、ほぼ一定量で生成している。また、図８では、最初の生成量を１００とした場合、減少後の生成量が４０となるように制御したものを例示している。この減少割合は適宜に設定可能である。
【０１５４】
また、図８では、ハウジング３内に設けられた生成部としてイオンを生成するイオン生成部を例示している。
【０１５５】
制御部１０によるイオン生成量、酸性成分生成量、帯電微粒子液体生成量の制御方法は、生成量を変更させることのできる手段であればよい。例えば、第２電極の形状を変更する方法や、第１電極と第２電極の距離を変更する方法、第１電極と第２電極の間に印可する高圧電圧を変更することによる放電電流を変更する方法がある。
【０１５６】
なお、図８に示す制御は、酸性成分生成部や帯電微粒子液体生成部にも適用できる。このことは、図９，図１０，図１４から図１６においても同様である。
【０１５７】
また、生成量を減少させる制御としては、図９に示すように、生成部が駆動されてから所定時間ｔ１が経過するまでは、ほぼ一定量で生成し、所定時間ｔ１が経過した後所定時間ｔ２まで、成分の生成量を徐々に減少させるように制御する方法もある。図９では、所定時間ｔ２経過時に、成分の生成量が最初の生成量１００に対して４０となるように制御している。
【０１５８】
図８および図９の制御は、ハウジング３内に設けられた生成部が駆動されてから所定の時間が経過した際に、ハウジング３内に設けられた生成部で生成される成分の生成量を減少させるものである。
【０１５９】
また、図１０に示すように、生成部が駆動されてから所定時間ｔ２まで、成分の生成量を徐々に減少させるように制御する方法もある。図１０でも、所定時間ｔ２経過時に、成分の生成量が最初の生成量１００に対して４０となるように制御している。
【０１６０】
図１０の制御は、ハウジング３内に設けられた生成部が駆動されてから時間の経過とともに、ハウジング３内に設けられた生成部で生成される成分の生成量を減少させるものである。
【０１６１】
このように、制御部１０が、ハウジング３内に設けられた生成部が駆動されてから所定の時間が経過した際、または、時間の経過とともに、ハウジング３内に設けられた生成部で生成される成分の生成量を減少させるように制御することで、毛髪の乾燥状態に合わせた成分量を供給することができるようになる。
【０１６２】
しかしながら、髪質等の毛髪の状態には個人差がある。例えば、毛髪が太い人もいれば、毛髪が細い人もいる。
【０１６３】
このように、使用者の毛髪の太さには個人差があり、いずれの使用者に対しても同量の成分を供給する制御では、使用者に好適な髪ケア効果が得られない場合がある。また、個人の嗜好により、好適な髪ケア効果は異なるものである。
【０１６４】
そこで、生成部で生成される成分の生成量を変更させることができるようにした。
【０１６５】
具体的には、制御部１０が、ハウジング３内に設けられた生成部で生成される成分のうち少なくとも１つの成分の生成量を所定の量に設定する第１の制御モードと、第１の制御モードの生成量より低い生成量に設定する第２の制御モードと、を備えるようにした。
【０１６６】
例えば、生成部がイオン生成部の場合、図１１に示す制御を行うことができる。図１１では、第１の制御モードでの制御が選択された場合には、イオン生成部が駆動されてから所定時間ｔ１が経過するまでは、ほぼ一定量でイオンを生成し、所定時間ｔ１が経過する際に、イオンの生成量が最初の生成量１００に対して４０となるように減少させている。
【０１６７】
そして、所定時間ｔ１経過後少なくとも所定時間ｔ２までは、ほぼ一定量で生成している。
【０１６８】
一方、第２の制御モードでの制御が選択された場合には、イオン生成部が駆動されてから所定時間ｔ１が経過するまでは、ほぼ一定量でイオンを生成し、所定時間ｔ１が経過する際に、イオンの生成量が最初の生成量７０に対して３０となるように減少させている。
【０１６９】
そして、所定時間ｔ１経過後少なくとも所定時間ｔ２までは、ほぼ一定量で生成している。
【０１７０】
また、生成部が酸性成分生成部の場合、図１２に示す制御を行うことができる。図１２では、第１の制御モードでの制御が選択された場合には、酸性成分生成部が駆動されてから所定時間ｔ１が経過するまでは、ほぼ一定量で酸性成分を生成し、所定時間ｔ１が経過する際に、酸性成分の生成量が最初の生成量１００に対して４０となるように減少させている。
【０１７１】
そして、所定時間ｔ１経過後少なくとも所定時間ｔ２までは、ほぼ一定量で生成している。
【０１７２】
一方、第２の制御モードでの制御が選択された場合には、酸性成分生成部が駆動されてから所定時間ｔ１が経過するまでは、ほぼ一定量で酸性成分を生成し、所定時間ｔ１が経過する際に、酸性成分の生成量が最初の生成量７０に対して２０となるように減少させている。
【０１７３】
そして、所定時間ｔ１経過後少なくとも所定時間ｔ２までは、ほぼ一定量で生成している。
【０１７４】
また、生成部が帯電微粒子液体生成部の場合、図１３に示す制御を行うことができる。図１３では、第１の制御モードでの制御が選択された場合には、帯電微粒子液体生成部が駆動されてから所定時間ｔ１が経過するまでは、ほぼ一定量で帯電微粒子液体を生成し、所定時間ｔ１が経過する際に、帯電微粒子液体の生成量が最初の生成量１００に対して４０となるように減少させている。
【０１７５】
そして、所定時間ｔ１経過後少なくとも所定時間ｔ２までは、ほぼ一定量で生成している。
【０１７６】
一方、第２の制御モードでの制御が選択された場合には、帯電微粒子液体生成部が駆動されてから所定時間ｔ１が経過するまでは、ほぼ一定量で帯電微粒子液体を生成し、所定時間ｔ１が経過する際に、帯電微粒子液体の生成量が最初の生成量７０に対して１０となるように減少させている。
【０１７７】
そして、所定時間ｔ１経過後少なくとも所定時間ｔ２までは、ほぼ一定量で生成している。
【０１７８】
なお、第２の制御モードにおける最初の生成量に対する減少割合は、上述のように成分毎に異ならせてもよいし、同じ割合となるようにしてもよい。また、第２の制御モードにおける最初の生成量の第１の制御モードにおける最初の生成量に対する割合は、上述のように同一でもよいし、成分毎に異ならせるようにしてもよい。
【０１７９】
すなわち、髪長さや乾燥状態の異なる毛髪に対して、それぞれの成分の供給量がより適した量となるように、それぞれの生成量を設定することができる。
【０１８０】
さらに、第２の制御モードにおける最初の生成量の第１の制御モードにおける最初の生成量に対する割合は、成分毎に適宜に設定することが可能である。そして、第１の制御モードにおける最初の生成量に対する減少割合や第２の制御モードにおける最初の生成量に対する減少割合も、成分毎に適宜に設定することが可能である。
【０１８１】
また、各成分における第１の制御モードによる制御や第２の制御モードによる制御は、図９や図１０で示した制御とすることもできる。このとき、第１の制御モードと第２の制御モードとで、制御方法を異ならせるようにしてもよい。
【０１８２】
上述したように、本実施の形態１では、操作子１９ａを操作することで、毛髪の太い使用者が主として選択する髪太モードと、毛髪の細い使用者が主として選択する髪細モードの２つの髪質モードの選択ができるようになっている。
【０１８３】
そして、髪太モードが選択された際には、成分の生成量が多い第１の制御モードで制御され、髪細モードが選択された際には、成分の生成量が少ない第２の制御モードで制御されるようにしている。
【０１８４】
このように、本実施の形態１では、操作子１９ａを操作することで髪質モードを切り替え、生成部で生成される成分の生成量を変更できるようにしている。
【０１８５】
例えば、髪が太くてまとまりにくい人の場合、髪太モードを選択し、成分の生成量が多い第１の制御モードで制御されるようにすることができる。こうすれば、太くてまとまりにくい毛髪にとって好適な量の成分を、毛髪の乾燥状態に合わせて供給することができ、髪ケア効果を高めることができる。
【０１８６】
一方、髪が細くてボリュームの出にくい人の場合、髪細モードを選択し、成分の生成量が少ない第２の制御モードで制御されるようにすることができる。こうすれば、細くてボリュームの出にくい毛髪にとって好適な量の成分を、毛髪の乾燥状態に合わせて供給することができ、髪ケア効果を高めることができる。
【０１８７】
ところで、髪質が同じ場合であっても、毛髪の長さが異なれば、ヘアドライヤ１の使用を開示してから同じ時間が経過した際の毛髪の乾燥状態も異なるものである。
【０１８８】
そこで、生成部で生成される成分の生成量を減少させるまでの所定時間を変更させることができるようにした。
【０１８９】
本実施の形態１では、操作子１９ｂを操作することで、髪長さモードの切り替えを行うことができるようにしている。そして、髪の短い使用者が主として選択するショートモードと、髪の長い使用者が主として選択するロングモードと、髪の長さが中程度の使用者が主として選択するミディアムモードの３つの髪長さモードの選択ができるようになっている。
【０１９０】
そして、制御部１０が、髪長さモードに応じて生成部で生成される成分の生成量を減少させるまでの所定時間が異なった時間となるように制御している。
【０１９１】
このように、本実施の形態１では、操作子１９ｂを操作することで髪長さモードを切り替え、生成部で生成される成分の生成量を減少させるまでの所定時間を変更できるようにしている。
【０１９２】
具体的には、毛髪の長さが長い場合、基本的に乾燥するまでの時間が長くなるため、ロングモードを選択した場合、生成部で生成される成分の生成量を減少させるまでの所定時間が長くなる。
【０１９３】
図１４では、生成部が駆動されてから所定時間ｔ１Ｌが経過するまでは、ほぼ一定量で成分を生成し、所定時間ｔ１Ｌが経過する際に、成分の生成量が最初の生成量１００に対して４０となるように減少させている。そして、所定時間ｔ１Ｌ経過後少なくとも所定時間ｔ２Ｌまでは、ほぼ一定量で生成している。
【０１９４】
一方、毛髪の長さが短い場合、基本的に乾燥するまでの時間が短くなるため、ショートモードを選択した場合、生成部で生成される成分の生成量を減少させるまでの所定時間が短くなる。
【０１９５】
図１４では、生成部が駆動されてから所定時間ｔ１Ｓが経過するまでは、ほぼ一定量で成分を生成し、所定時間ｔ１Ｓが経過する際に、成分の生成量が最初の生成量１００に対して４０となるように減少させている。そして、所定時間ｔ１Ｓ経過後少なくとも所定時間ｔ２Ｓまでは、ほぼ一定量で生成している。
【０１９６】
また、毛髪の長さが中程度の場合、基本的に乾燥するまでの時間も中程度となるため、ミディアムモードを選択した場合、生成部で生成される成分の生成量を減少させるまでの所定時間は、ショートモードとロングモードの間となる。
【０１９７】
図１４では、生成部が駆動されてから所定時間ｔ１Ｍが経過するまでは、ほぼ一定量で成分を生成し、所定時間ｔ１Ｍが経過する際に、成分の生成量が最初の生成量１００に対して４０となるように減少させている。そして、所定時間ｔ１Ｍ経過後少なくとも所定時間ｔ２Ｍまでは、ほぼ一定量で生成している。
【０１９８】
このように、図１４では、所定時間がｔ１Ｓ＜ｔ１Ｍ＜ｔ１Ｌとなっている。また、ｔ２Ｓ＜ｔ２Ｍ＜ｔ２Ｌとなっている。そして、少ない生成量で成分が生成される時間（継続時間）も、ｔ２Ｓ−ｔ１Ｓ＜ｔ２Ｍ−ｔ１Ｍ＜ｔ２Ｌ−ｔ１Ｌとなっている。
【０１９９】
このような制御を行うことで、使用者は、例えば、髪の長さ、太さ、量、損傷度合などを考慮して毛髪の乾燥時間（ヘアドライヤ１の使用時間）が長くなるか否かを決め、ヘアドライヤ１の使用時間に応じて、操作子１９ｂを操作して髪長さモードを選択することができる。こうすることで、使用者の毛髪に所望の髪ケア効果を与えることができるようになる。
【０２００】
なお、使用者が、毛髪に多くの成分が供給されている時間を決め、当該時間に該当するモードを選択するようにしてもよい。
【０２０１】
ここで、所定の時間としては、例えば、毛髪の長さが短く乾燥時間も短い場合は、３０秒から１分３０秒で成分の生成量を変化させるようにするのが好ましい。さらにその中でも１分程度にすることがより好ましい。
【０２０２】
また、毛髪の長さが中程度の人の使用であれば、乾燥時間は中程度となるため、１分３０秒から３分でイオン生成量を変化させるようにするのが好ましい。さらにその中でも２分程度にすることがより好ましい。
【０２０３】
そして、毛髪の長さが長い人の使用であれば乾燥時間が長くなるため、２分から５分でイオン生成量を変化させるようにするのが好ましい。さらにその中でも３分程度にすることがより好ましい。
【０２０４】
また、時間経過とともに成分の生成量を減少させる場合は、図１５に示すように、成分の生成量の単位時間あたりの減少割合を変更させるようにすることができる。
【０２０５】
図１５では、ショートモードの場合、所定時間ｔ２Ｓ経過時に、成分の生成量が最初の生成量１００に対して４０となるように徐々に減少させている。
【０２０６】
また、ミディアムモードの場合、所定時間ｔ２Ｍ経過時に、成分の生成量が最初の生成量１００に対して４０となるように徐々に減少させている。
【０２０７】
また、ロングモードの場合、所定時間ｔ２Ｌ経過時に、成分の生成量が最初の生成量１００に対して４０となるように徐々に減少させている。
【０２０８】
このように、本実施の形態１では、２つの髪質モードと３つの髪長さモードをそれぞれ独立して選択できるようになっており、６種類の制御方法を適宜選択できるようになっている。
【０２０９】
なお、本実施の形態１では、経過時間によって、生成部を制御部１０で制御する方式を示しているが、生成部の制御は、経過時間以外の方法でもよい。例えば、赤外線の水分量センサー（非接触のセンサ装置）や接触式の毛髪の水分量計測によって、成分の生成量を変化させる方法も考えられる。
【０２１０】
また、制御部１０が、ハウジング３内に設けられた生成部で生成される成分のうち少なくとも１つの成分の生成量を減少させる前に、所定の時間、生成を停止させるように制御するようにすることも可能である。
【０２１１】
具体的には、図１６に示すように、生成部が駆動されてから所定時間ｔ１が経過するまでは、ほぼ一定量で成分を生成し、所定時間ｔ１が経過する際に生成を停止させ、所定時間ｔ３が経過する際に、成分の生成量が最初の生成量１００に対して４０となるようにしている。そして、所定時間ｔ３経過後少なくとも所定時間ｔ２までは、ほぼ一定量で生成している。こうすれば、生成部の周囲の帯電を取り除くことができる。
【０２１２】
なお、生成を停止させる際に徐々に生成量を減少させるようにしてもよい。また、停止後に生成を開始する際に徐々に生成量を増加させるようにしてもよい。
【０２１３】
また、上述したように、毛髪の帯電状態を変更することが可能な帯電部（帯電付与パネル）１ｆを把持部１ａ近傍に備えている。
【０２１４】
ここで、制御部１０により、帯電部（帯電付与パネル）１ｆの帯電量を制御するようにすることも可能である。
【０２１５】
このように、帯電部（帯電付与パネル）１ｆの帯電量を制御部１０により制御することで、使用者が把持部１ａを把持して帯電部（帯電付与パネル）１ｆを握った際に、使用者の毛髪の帯電状態を変化させ、イオンまたは酸性成分、帯電微粒子液体の毛髪への付着量を変化させることができる。
【０２１６】
変化方法としては、所定の時間経過後に、別の帯電状態に変化させる方法や、所定の時間経過後に、時間の経過とともに変化させる方法、生成部を駆動した直後から時間とともに変化させる方法がある。また、イオン生成量の多い第１の制御モードとイオン生成量の少ない第２の制御モードで帯電状態を変化させ、時間の経過による変化は行わないようにすることも可能である。
【０２１７】
このように、使用者の毛髪の帯電状態を変化させ、イオンまたは酸性成分、帯電微粒子液体の毛髪への付着量を変化させることで、成分を毛髪に付着させやすくしたり、付着させにくくしたりすることができ、使用者の毛髪に所望の髪ケア効果を与えることができるようになる。
【０２１８】
以上、説明したように、本実施の形態１では、ヘアドライヤ（加熱送風装置）１は、入口開口（吸入口）４ａから出口開口（吐出口）４ｂに至る風洞（送風流路）４が設けられ、外郭を構成するハウジング３と、ハウジング３内の吸入口４ａ側に配置されてモータ駆動されるファン５と、ハウジング３内の吐出口４ｂ側に配置されるヒータ（加熱部）８と、を備えている。
【０２１９】
また、ヘアドライヤ（加熱送風装置）１は、ハウジング３内に設けられる生成部であって、イオンを生成するイオン生成部、酸性成分を生成する酸性成分生成部および帯電微粒子液体を生成する帯電微粒子液体生成部のうち少なくともいずれか１つの生成部を備えている。
【０２２０】
さらに、ハウジング３内に設けられた生成部で生成される成分の生成量を制御する制御部１０を備えている。
【０２２１】
そして、制御部１０は、ハウジング３内に設けられた生成部が駆動されてから所定の時間が経過した際、または、時間の経過とともに、ハウジング３内に設けられた生成部で生成される成分の生成量を減少させるように制御するものである。
【０２２２】
これによって、毛髪の乾燥状態に合わせて生成する成分の生成量を調整することができ、より最適な成分量を毛髪に供給することが可能となる。
【０２２３】
また、制御部１０は、ハウジング３内に設けられた生成部で生成される成分のうち少なくとも１つの成分の生成量を所定の量に設定する第１の制御モードと、第１の制御モードの生成量より低い生成量に設定する第２の制御モードと、を備えるものである。
【０２２４】
これによって、イオン量、または酸性成分量、または帯電微粒子液体量の多い第１の制御モードと、イオン量、または酸性成分量、または帯電微粒子液体量の少ない第２の制御モードとを太い毛髪および細い毛髪のそれぞれに適したモードとして設定することができる。
【０２２５】
その結果、発生量の多い第１の制御モードでは太い毛髪をしっとりまとまりやすくでき、発生量の少ない第２の制御モードでは細い毛髪をふんわりと仕上げることができる。
【０２２６】
また、制御部１０は、ハウジング３内に設けられた生成部で生成される成分のうち少なくとも１つの成分の生成量を減少させる前に、所定の時間、生成を停止させるように制御するものである。
【０２２７】
これによって、イオン、または酸性成分、または帯電微粒子液体の少なくともいずれかの生成が所定時間停止することとなり、イオン生成部、または酸性成分生成部、または帯電微粒子液体生成部の周囲の帯電を取り除くことができる。その結果、所定時間停止後のイオン、または酸性成分、または帯電微粒子液体の少なくともいずれかの生成開始時の生成量を安定させることができる。
【０２２８】
また、ハウジング３内に設けられた生成部がイオン生成部である場合、毛髪の乾燥状態に合わせて生成するイオン生成量を減少させることとなり、発生する電荷による乾燥した毛髪における毛髪表面の過剰帯電を抑制し、毛髪のまとまりや指通りを向上することができる。
【０２２９】
また、ハウジング３内に設けられた生成部が酸性成分生成部である場合、毛髪の乾燥状態に合わせて生成する酸性成分量を減少させることとなり、毛髪表面の酸性成分による過収縮を抑制することができ、毛髪のクセの伸びや手触りを向上することができる。
【０２３０】
また、ハウジング３内に設けられた生成部が帯電微粒子液体生成部である場合、毛髪の乾燥状態に合わせて生成する帯電微粒子液体量を減少させることとなり、毛髪のしっとり感が増加しすぎず、さらさらしたふんわり感のある毛髪とすることができる。
【０２３１】
また、毛髪の帯電状態を変更する帯電部（帯電付与パネル）１ｆを把持部１ａの近傍に備えるとともに、制御部１０により、帯電部（帯電付与パネル）１ｆの帯電量を制御するようにすれば、帯電部（帯電付与パネル）１ｆを握る使用者の身体の帯電を制御することができる。
【０２３２】
その結果、イオン生成部、または酸性成分生成部、または帯電微粒子液体生成部の少なくともいずれかから生成したイオン量、または酸性成分量、または帯電微粒子液体量の少なくともいずれかの毛髪への付着状態を安定させることができる。
【０２３３】
さらに、制御部１０からの制御により動作状態を表示する表示部１４を備えるとともに、表示部１４に、イオン生成部、または酸性成分生成、または帯電微粒子液体生成部の少なくともいずれかの動作状態、または選択中のモードを表示するようにすれば、選択しているモード、または動作状態の少なくともいずれかの状態を容易に認識することができるようになる。
【０２３４】
以上、本発明の好適な実施形態について説明したが、本発明は上記実施形態には限定されず、種々の変形が可能である。
【０２３５】
例えば、図２０〜図２２に示すようなヘアドライヤ（加熱送風装置）１Ａに本発明を適用することも可能である。
【０２３６】
ヘアドライヤ（加熱送風装置）１Ａにおいても、本体部１ｂ内で、ハウジング３と内筒６との間に形成された空洞９に、２つ（複数）の金属微粒子生成部３０，４０および１つのミスト生成部５０が配置されている。
【０２３７】
なお、ヘアドライヤ（加熱送風装置）１Ａでは、ミスト吹出口２０ｃの下流側かつ下方に、ミストの吹き出し方向に延在するように壁部２０ｅが設けられており、この壁部２０ｅを設けることで、ミスト吹出口２０ｃから吹き出されたミストが下方に拡散（離散）してしまうのを抑制できるようにしている。
【０２３８】
このようなヘアドライヤ（加熱送風装置）１Ａに本発明を適用しても、上記実施の形態１と同様の作用、効果を奏することができる。
【０２３９】
また、図２３に示すように、加熱送風装置としてのブラシ付きヘアドライヤ１Ｂに本発明を適用することも可能である。
【０２４０】
ブラシ付きヘアドライヤ１Ｂは、棒状に形成されており、使用者が把持部１ａを持って先端部１ｇに設けられたブラシ部２３を髪に当てて整髪する（髪を梳かす）ものである。ブラシ部２３には、複数のブリッスル２３ａが突設されている。
【０２４１】
外壁をなす（外郭を構成する）ハウジング３Ｂは、複数の分割体を継ぎ合わせて構成されており、その内部には風洞（送風流路）９Ｂが形成され、この風洞９Ｂ内に、各種電気部品が収容されている。
【０２４２】
また、把持部１ａのブラシ部２３に近い部分には、膨出した形状の外壁をなす（外郭を構成する）カバー２０Ｂが取り付けられており、このカバー２０Ｂとハウジング３Ｂとによって形成される風洞９Ｂ内に、金属微粒子生成部３０，４０とミスト生成部５０とが収容されている。
【０２４３】
カバー２０Ｂには、ブリッスル２３ａに向けて開放された排出口２０ａ，２０ｂが形成されており、金属微粒子生成部３０，４０で生成された金属微粒子ならびにミスト生成部５０で生成されたミストは、この排出口２０ａ，２０ｂから外部に放出され、髪や地肌に作用することになる。なお、金属微粒子生成部３０，４０およびミスト生成部５０には、回路部２４から電圧が印加される。
【０２４４】
また、風洞９Ｂに空気流Ｗを生じさせるファン５Ｂおよびこのファン５Ｂを回転させるモータ７Ｂを設け、金属微粒子生成部３０，４０で生成した金属微粒子ならびにミスト生成部５０で生成したミストを、分岐流Ｗｐに乗せて排出できるようにしている。
【０２４５】
モータ７Ｂおよびファン５Ｂは、ケース３Ｂ内に形成される風洞９Ｂ内に収容されている。モータ７Ｂは回路部２４に含まれる駆動回路によって回転駆動される。
【０２４６】
ケース３Ｂの基端側（図２３では下側）には空気の吸入口となる開口部１ｈが形成されており、ファン５Ｂが回転すると、空気が外部から開口部１ｈを介して風洞９Ｂ内に流入し、当該風洞９Ｂ内を通ってブラシ部２３に向けて排出される空気流Ｗが形成される。空気流Ｗは、ブラシ部２３のブリッスル２３ａの根元に形成された吹出孔（吐出口）２３ｂから吹き出される。
【０２４７】
さらに、使用者の帯電によって金属微粒子の放出が阻害されるのを抑制するため、把持部１ａの表面に帯電部（帯電付与パネル）１ｆを露出させてある。
【０２４８】
また、遮蔽壁２２Ｂを設け、ミスト生成部５０で生成されたミストが金属微粒子生成部３０，４０に到達するのを抑制している。
【０２４９】
このようなブラシ付きヘアドライヤ（加熱送風装置）１Ｂに本発明を適用しても、上記実施の形態１と同様の作用、効果を奏することができる。
【０２５０】
また、上記各実施形態では、イオン発生部として、金属微粒子およびマイナスイオンを生成する金属微粒子生成部を例示したが、金属微粒子は生成せず、単にマイナスイオンを生成するものを用いてもよい。
【０２５１】
また、プラスイオンを生成するイオン生成装置にあっても、本発明を適用することができる。このように、プラスイオンを生成すると、ウィッグなどの人工毛をつけた毛髪に使用する場合に有効である。ウィッグなどの人工毛はマイナスに帯電しやすいので、プラスイオンを供給することで、静電気が生じてしまうのを抑制することができるためである。
【０２５２】
また、上記各実施形態では、ミスト生成部およびマイナスイオン発生部として放電極（第１電極）と対向する放電対向電極（第２電極）を有するものを例示したが、第２電極を放電極（第１電極）と対向しない位置に設けたものを用いてもよい。
【０２５３】
また、上記各実施形態では、金属微粒子吹出口（イオン放出口）を２つ形成したものを例示したが、金属微粒子吹出口（イオン放出口）を３つ以上形成することも可能である。
【０２５４】
また、上記実施形態では、分岐流によって、金属微粒子およびミストを吹き出すようにしたものを例示したが、分岐流がない場合でも、金属微粒子およびミストを対応する吹出口から吹き出すことができる。
【０２５５】
また、毛髪に髪ケア効果を与えるとともに、毛髪が比較的乾燥した状態のときに発生量を減少させることで髪ケア効果が向上する髪ケア剤を放出させるようにすることも可能である。このような髪ケア剤としては、例えば、オイル成分を含有する剤が挙げられる。オイル成分を含有する剤は、毛髪表面への付着が少量であることで髪ケア効果が向上するものがある。
【０２５６】
また、カバーやハウジング、その他細部のスペック（形状、大きさ、レイアウト等）も適宜に変更可能である。
【産業上の利用可能性】
【０２５７】
以上のように、本発明にかかる加熱送風装置は、毛髪の乾燥状態に合わせた量の成分を供給することで、毛髪のまとまりや手触りなどの髪ケア効果を向上することが可能となるので、人用ドライヤー以外にも、例えばペット用ドライヤー等の用途にも適用できる。
【符号の説明】
【０２５８】
１，１Ａ  ヘアドライヤ（加熱送風装置）
１Ｂ  ブラシ付きヘアドライヤ（加熱送風装置）
１ｆ  帯電部（帯電付与パネル）
１ｈ  開口部（吸入口）
３，３Ｂ  ハウジング
４  風洞（送風流路）
４ａ  入口開口（吸入口）
４ｂ  出口開口（吐出口）
５  ファン
７  モータ
８  ヒータ（加熱部）
９Ｂ  風洞（送風流路）
１０  制御部
２３ｂ  吹出孔（吐出口）２３ｂ
３０，４０  金属微粒子生成部（生成部）
５０  ミスト生成部（生成部）
【図１】
2015202129.tif 000003
【図２】
2015202129.tif 000004
【図３】
2015202129.tif 000005
【図４】
2015202129.tif 000006
【図５】
2015202129.tif 000007
【図６】
2015202129.tif 000008
【図７】
2015202129.tif 000009
【図８】
2015202129.tif 000010
【図９】
2015202129.tif 000011
【図１０】
2015202129.tif 000012
【図１１】
2015202129.tif 000013
【図１２】
2015202129.tif 000014
【図１３】
2015202129.tif 000015
【図１４】
2015202129.tif 000016
【図１５】
2015202129.tif 000017
【図１６】
2015202129.tif 000018
【図１７】
2015202129.tif 000019
【図１８】
2015202129.tif 000020
【図１９】
2015202129.tif 000021
【図２０】
2015202129.tif 000022
【図２１】
2015202129.tif 000023
【図２２】
2015202129.tif 000024
【図２３】
2015202129.tif 000025